(57)【要約】【課題】分電盤用内器を取り付けた際の設定作業を簡略化できる電流計測器及びそれを用いた分電盤を提供する。【解決手段】電流計測器５は、検出部５２と、記憶部と、演算装置５５とを備える。検出部５２は、主幹ブレーカから分岐される複数の分岐ブレーカ３の各々に流れる電流の電流値情報を検出する。演算装置５５は、記憶部と、出力部とを有している。記憶部は、検出部５２の計測対象である複数の分岐ブレーカ３に関する回路情報を記憶する。出力部は、記憶部に記憶された回路情報を外部に出力する。【選択図】図２
2015211570.tif 000002
【特許請求の範囲】
【請求項１】
主幹回路から分岐される複数の分岐回路の各々に流れる電流の電流値情報を検出する検出部と、
前記検出部の計測対象である複数の前記分岐回路に関する回路情報を記憶する記憶部と、
前記記憶部に記憶された前記回路情報を外部に出力する出力部と
を備えることを特徴とする電流計測器。
【請求項２】
前記出力部が出力した前記回路情報が入力される分電盤用内器と、
請求項１に記載の電流計測器及び前記分電盤用内器が取り付けられる分電盤用キャビネットとを備え、
前記分電盤用内器は、前記出力部から入力された前記回路情報が設定される設定部を有していることを特徴とする分電盤。
【請求項３】
前記電流計測器を複数備え、
複数の前記電流計測器の各々が備える記憶部には、全ての前記電流計測器の計測対象である前記分岐回路の前記回路情報が記憶されるように構成されていることを特徴とする請求項２に記載の分電盤。
【請求項４】
前記分電盤用内器は、前記設定部に前記回路情報が設定されていない場合に、前記出力部から入力される前記回路情報を前記設定部に設定するように構成されている
ことを特徴とする請求項２又は３に記載の分電盤。
【請求項５】
前記分電盤用内器は、前記設定部の設定内容がリセットされた場合に、前記出力部から入力される前記回路情報を前記設定部に設定するように構成されている
ことを特徴とする請求項２乃至４の何れか１項に記載の分電盤。
【請求項６】
前記分電盤用内器は、前記設定部に記憶されている前記計測対象の前記分岐回路の数が、前記出力部から入力される前記計測対象の前記分岐回路の数と異なっている場合に、前記出力部から入力される前記回路情報を前記設定部に設定させるように構成されている
ことを特徴とする請求項２乃至５の何れか１項に記載の分電盤。
【請求項７】
前記分電盤用内器は、前記回路情報の初期値を有し、前記出力部から前記回路情報が入力されない場合に前記初期値を前記設定部に設定するように構成されている
ことを特徴とする請求項２乃至６の何れか１項に記載の分電盤。
【発明の詳細な説明】
【技術分野】
【０００１】
本発明は、一般に電流計測器及びそれを用いた分電盤に関し、より詳細には分岐回路の電流を計測する電流計測器及びそれを用いた分電盤に関する。
【背景技術】
【０００２】
従来、主幹ブレーカと、複数の分岐ブレーカとを備えた分電盤が広く知られている（例えば特許文献１参照）。特許文献１に記載の分電盤は、主幹ブレーカの電流値及び分岐ブレーカの電流値を受け取る計測制御ユニットを備えている。計測制御ユニットの設定スイッチを操作することにより、計測制御ユニット内に記憶されている各々の分岐ブレーカの定格電圧値を１００Ｖ又は２００Ｖに設定する。
【先行技術文献】
【特許文献】
【０００３】
【特許文献１】特開２００９−１３１００８号公報
【発明の概要】
【発明が解決しようとする課題】
【０００４】
特許文献１に記載の分電盤では、施工後の分電盤において、分電場用内器（例えば計測制御ユニット等）の劣化や故障等により計測制御ユニットを交換した場合に、各々の分岐ブレーカの定格電圧値を新しい分電場用内器に設定し直さなければならなかった。
【０００５】
本発明は上記課題に鑑みて為され、分電盤用内器を取り付けた際の設定作業を簡略化できる電流計測器及びそれを用いた分電盤を提供することを目的とする。
【課題を解決するための手段】
【０００６】
上記課題を解決するために、本発明の電流計測器は、主幹回路から分岐される複数の分岐回路の各々に流れる電流の電流値情報を検出する検出部と、前記検出部の計測対象である複数の前記分岐回路に関する回路情報を記憶する記憶部と、前記記憶部に記憶された前記回路情報を外部に出力する出力部とを備えることを特徴とする。
【０００７】
本発明の分電盤は、前記出力部が出力した前記回路情報が入力される分電盤用内器と、上記した電流計測器及び前記分電盤用内器が取り付けられる分電盤用キャビネットとを備え、前記分電盤用内器は、前記出力部から入力された前記回路情報が設定される設定部を有していることを特徴とする。
【発明の効果】
【０００８】
本発明の電流計測器及び分電盤によれば、電流計測器が、複数の分岐回路に関する回路情報を記憶部に記憶していて、その回路情報を外部に出力するので、分電盤用内器を取り付けた際の設定作業を簡略化できる。
【図面の簡単な説明】
【０００９】
【図１】本実施形態に係る分電盤の概略構成図である。
【図２】本実施形態に係る分電盤の要部を示す斜視図である。
【図３】本実施形態に係る分電盤の要部を示す断面図である。
【図４】本実施形態に係る分電盤の要部を示す概略ブロック図である。
【図５】本実施形態に係る電流計測器の動作を説明するためのフローチャートである。
【発明を実施するための形態】
【００１０】
（実施形態１）
本実施形態では、分電盤１が設置される電力の需要家（customer's facility）が、戸建住宅である場合を例に説明するが、この例に限らず、需要家は例えば集合住宅の各住戸、事務所、店舗、工場等であってもよい。また、以下では、分電盤１が壁に取り付けられた状態での上下左右（図１の上下左右）を上下左右とし、壁に直交する方向（図１の紙面に直交する方向）を前後方向として説明するが、分電盤１を取り付ける向きを限定する趣旨ではない。
【００１１】
以下、本実施形態に係る分電盤用キャビネット１０、及びそれを用いた分電盤１について詳しく説明する。ただし、以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。
【００１２】
まず、分電盤１について図１及び図２を参照して説明する。
【００１３】
本実施形態の分電盤１は計測器付き分電盤用キャビネット１０を備えている。計測器付き分電盤用キャビネット１０は、図１及び図２に示すように、キャビネット本体１１と、導電バー４１，４２と、中性極バー４３と、電流を計測する電流計測器５と、第１通信アダプタ７１とを備えている。導電バー４１，４２、中性極バー４３は、キャビネット本体１１に固定され、主幹ブレーカ２から複数の分岐ブレーカ３，３…への電力の経路を形成する。以下、「計測器付き分電盤用キャビネット」を単に「分電盤用キャビネット」という。
【００１４】
分電盤１では、配電方式として単相三線式を想定していて、第１の電圧極（Ｌ１相）の導電バー４１と、第２の電圧極（Ｌ２相）の導電バー４２と、中性極（Ｎ相）の中性極バー４３との計３本が設けられている。
【００１５】
＜基本構成＞
本実施形態に係る分電盤１は、図２に示すように、分電盤用キャビネット１０と、分電盤用キャビネット１０に取り付けられる電流計測器５を備えている。分電盤１はさらに、分電盤用の機器を備えている。分電盤用の機器とは、少なくとも主幹ブレーカ２（主幹回路）及び複数の分岐ブレーカ３，３…（分岐回路）、計測ユニット６、第１通信アダプタ７１（分電盤用内器）、第２通信アダプタ７２、第３通信アダプタ７３、二次連系ブレーカ８を含んでいる。また、分電盤用キャビネット１０は、図１に示す分電盤用の機器以外にも、例えば一次連系ブレーカ（図示せず）等の分電盤用の機器を取り付けるスペースを有している。
【００１６】
まず、分電盤用キャビネット１０の基本構成について説明する。
【００１７】
分電盤用キャビネット１０は、正面視が横長の長方形状となり前面が開口した箱状に形成されており、住宅の壁等に取り付けて使用されるキャビネット本体１１を備えている。ここでは、キャビネット本体１１には、前面の開口を塞ぐ位置と開放する位置との間で開閉可能な外蓋（図示せず）が取り付けられる。
【００１８】
さらに、キャビネット本体１１において外蓋の内側には、キャビネット本体１１の前面の開口を塞ぐように内蓋（図示せず）が取り付けられる。この内蓋には、少なくとも主幹ブレーカ２及び複数の分岐ブレーカ３，３…の一部を前方に露出させる窓孔（図示せず）が形成されている。図２は、外蓋及び内蓋が外された状態の分電盤１を示している。尚、外蓋及び内蓋はそれぞれ、分電盤用キャビネット１０に含まれていてもよいし、分電盤用キャビネット１０に含まれていなくてもよい。
【００１９】
キャビネット本体１１は、合成樹脂製であって矩形枠状に形成された枠体１１０と、枠体１１０の開口部の上下方向における両側間に架け渡された桟部１１１〜１１４とを有している。キャビネット本体１１は、一対の桟部１１１，１１２に跨って取り付けられた支持板１２及びベース台１３を有している。支持板１２は、例えばブリキ（スズめっきされた鉄）等の磁性材料にて形成されている。支持板１２は、左右方向の両端部が一対の桟部１１１，１１２にねじ止めされることによって固定されている。ベース台１３は、例えば合成樹脂等の非磁性材料からなり、支持板１２の厚み方向の一面である前面に取り付けられている。尚、支持板１２はブリキに限らず、例えば亜鉛めっき鋼板（ＳＧＣＣ）を用いて構成されていてもよい。
【００２０】
キャビネット本体１１は、種々の分電盤用の機器（ブレーカ等）を取り付けるためのスペースを備えている。詳しくは後述するが、複数の分岐ブレーカ３，３…は中性極バー４３の上側と下側とに分かれて、それぞれ複数個（図１の例では１１個）ずつ左右方向に並ぶように配置される。そのため、複数の分岐ブレーカ３，３…を取り付けるためのスペースは、中性極バー４３の上側と下側とにそれぞれ設けられている。電流計測器５を取り付けるためのスペースは、中性極バー４３の後方に設けられる。
【００２１】
このキャビネット本体１１は、後述する一次連系ブレーカ（図示せず）が配置されるスペースを一対の桟部１１３，１１４間に備えている。また、キャビネット本体１１は、後述する計測ユニット６が配置されるスペースを備えている。さらに、キャビネット本体１１は、第１通信アダプタ７１、第２通信アダプタ７２、第３通信アダプタ７３が配置されるスペースを桟部１１４の左方に備えている。
【００２２】
このように、本実施形態の分電盤用キャビネット１０は、主幹ブレーカ２、複数の分岐ブレーカ３，３…以外の分電盤用の機器を付加的に取り付け（後付け）可能である。例えば、施工時に第１通信アダプタ７１を備えていない分電盤１に、後から第１通信アダプタ７１を取り付けることが可能である。尚、キャビネット本体１１は、主幹ブレーカ２、複数の分岐ブレーカ３，３…、電流計測器５、及び第１通信アダプタ７１が取り付けられるスペースを備えていればよく、他のスペースは省略可能である。
【００２３】
ところで、分電盤用キャビネット１０は、図２に示すように、第１の電圧極の導電バー４１、第２の電圧極の導電バー４２、中性極バー４３をさらに備えている。これら３本の導電バー４１，４２、中性極バー４３は、それぞれベース台１３に取り付けられることによって、キャビネット本体１１に固定されている。
【００２４】
より詳細には、ベース台１３は、支持板１２に取り付けられた背板１３１と、背板１３１の前面における左右方向の両端部からそれぞれ前方に突出した一対の支柱１３２，１３２とを有している。一対の支柱１３２，１３２は、背板１３１の前面における上下方向の中央部に配置されている。
【００２５】
さらに、ベース台１３は、背板１３１の前面の左右方向に沿った中心線から前方に突出した隔壁１３３と、一対の支柱１３２，１３２の間の空間を左右方向において等間隔で仕切る複数の仕切り１３４，１３４…とを有している。尚、本実施形態ではベース台１３は左右方向において複数（ここでは４つ）に分割可能に構成されているが、この構成に限らず、ベース台１３は一体に形成されていてもよい。
【００２６】
中性極バー４３は、導電性を有する金属板にて、左右方向に長い長尺板状に形成されており、一対の支柱１３２，１３２間に架け渡されるように、左右方向の各端部がそれぞれ支柱１３２の先端部（前端部）に固定される。ここで、隔壁１３３は、背板１３１の前方からの突出高さが支柱１３２，１３２及び仕切り１３４，１３４…に比べて低く、中性極バー４３と隔壁１３３との間には隙間が形成される。
【００２７】
第１の電圧極の導電バー４１は、導電性を有する金属板にて形成されており、背板１３１の前方のうち隔壁１３３より上側の領域に取り付けられる。この導電バー４１は、左右方向に長い長尺板状であって背板１３１の前方に配置される（第１の）平板４１２と、平板４１２の下端縁から前方に突出した（第１の）突出片４１３とを有している。
【００２８】
ここでは、突出片４１３は、一対の支柱１３２，１３２の間において平板４１２から隔壁１３３に沿って前方に立ち上がるように形成されており、且つ左右方向において複数の仕切り１３４，１３４…により複数に分断されている。言い換えれば、複数に分断された突出片４１３，４１３…は、隣接する支柱１３２−仕切り１３４間、あるいは隣接する一対の仕切り１３４，１３４間にそれぞれ配置されている。
【００２９】
各突出片４１３の先端部は二股に分かれており、一方が上向きに突出する（第１の）接続端子４１１となり、他方が下向きに突出する（第２の）接続端子４１１となる。つまり、複数の接続端子４１１，４１１…は、突出片４１３の先端から延長されており、且つ平板４１２の長手方向に分割されている。下向きに突出する接続端子４１１は、上向きに突出する接続端子４１１に比べて前方に位置しており、隔壁１３３と中性極バー４３との間の隙間を通して隔壁１３３の下側へ突出する。
【００３０】
第２の電圧極の導電バー４２は、隔壁１３３に対して第１の電圧極の導電バー４１と略対称となる形状を採用しており、基本的な構成が第１の電圧極の導電バー４１と共通している。すなわち、第２の電圧極の導電バー４２は、導電性を有する金属板にて形成されており、背板１３１の前方の隔壁１３３より下側の領域に取り付けられる。この導電バー４２は、左右方向に長い長尺板状であって背板１３１の前方に配置される（第２の）平板４２２と、平板４２２の上端縁から前方に突出した（第２の）突出片４２３とを有している。
【００３１】
突出片４２３は、左右方向において複数の仕切り１３４，１３４…により複数に分断されている。各突出片４２３の先端部は二股に分かれており、一方が下向きに突出する（第１の）接続端子４２１となり、他方が上向きに突出する（第２の）接続端子４２１となる。つまり、複数の接続端子４２１，４２１…は、突出片４２３の先端から延長されており、且つ平板４２２の長手方向に分割されている。上向きに突出する接続端子４２１は、下向きに突出する接続端子４２１に比べて前方に位置しており、隔壁１３３と中性極バー４３との間の隙間を通して隔壁１３３の上側へ突出する。
【００３２】
上述した構成により、隔壁１３３の上側においては、導電バー４１，４２、中性極バー４３は、前後方向において手前側（壁とは反対側）から中性極バー４３、導電バー４２（接続端子４２１）、導電バー４１（接続端子４１１）の順に並ぶ。隔壁１３３の下側においては、導電バー４１，４２、中性極バー４３は、前後方向において手前側（壁とは反対側）から中性極バー４３、導電バー４１（接続端子４１１）、導電バー４２（接続端子４２１）の順に並ぶ。
【００３３】
尚、導電バー４１は、導電バー４１の短手方向の一端部に、導電バー４１の長手方向に並ぶ複数の接続端子４１１，４１１…を有していればよく、これら複数の接続端子４１１，４１１…は互いに分離（分割）されていなくてもよい。つまり、導電バー４１の短手方向の一端部は、導電バー４１の長手方向に並ぶ複数の接続端子４１１，４１１…に分岐されていることは必須ではなく、分岐ブレーカ３がそれぞれ接続される接続端子４１１が複数あればよい。導電バー４２の複数の接続端子４２１，４２１…についても同様である。
【００３４】
次に、分電盤１に取り付けられている分電盤用の機器（キャビネット本体１１に取付可能な分電盤用の機器）について説明する。電流計測器５の具体的な構成についても以下に説明する。
【００３５】
主幹ブレーカ２は、その一次側端子２１に、系統電源（商用電源）の単相三線式の引込線が電気的に接続される。主幹ブレーカ２の二次側端子（図示せず）には、上述した導電バー４１，４２、中性極バー４３が電気的に接続される。主幹ブレーカ２は、一次側に接続された系統電源からの電力を二次側へ供給する投入状態と、該電力の供給を遮断する開放状態とを切替可能に構成されている。
【００３６】
複数の分岐ブレーカ３，３…は、キャビネット本体１１のベース台１３の前方において、隔壁１３３の上側と下側とに分かれて、それぞれ複数個ずつ左右方向に並ぶように配置されている。各分岐ブレーカ３は、一次側端子３２と二次側端子（図示せず）とを有しており、一次側端子３２が導電バー４１，４２、中性極バー４３に電気的に接続され、二次側端子には複数の電路（図示せず）の各々が接続される。各分岐ブレーカ３は、協約形寸法に形成されている。ここで、協約形寸法とは「ＪＩＳ  Ｃ８２０１−２−１」に準拠した電灯分電盤用の回路遮断器の寸法（及び形状）をいう。
【００３７】
これら複数の分岐ブレーカ３，３…の各々は、隣接する支柱１３２−仕切り１３４間、あるいは隣接する一対の仕切り１３４，１３４間にそれぞれ配置される。言い換えれば、各分岐ブレーカ３は、左右方向において仕切り１３４，１３４…にて仕切られた各スペースに１つずつ取り付けられることになる。
【００３８】
各分岐ブレーカ３の二次側端子に接続された電路には、例えば照明器具や給湯設備等の機器、差込接続装置のコンセント（アウトレット）や壁スイッチ等の配線器具が負荷として１つ以上接続され、分岐回路を構成する。つまり、複数の分岐ブレーカ３，３…はそれぞれ分岐回路が電気的に接続され、主幹ブレーカ２からの電力を各分岐回路へ供給する投入状態と、該電力の供給を遮断する開放状態とを切替可能に構成されている。
【００３９】
各分岐ブレーカ３は、図３に示すように、導電バー４１，４２、中性極バー４３が差し込まれる差込口３１を、隔壁１３３との対向面に有している。差込口３１は、各分岐ブレーカ３において前後方向に３個ずつ設けられている。一次側端子３２は、これら３個の差込口３１，３１，３１のうち２個の差込口３１，３１内に露出するように設けられている。これにより、各分岐ブレーカ３は、キャビネット本体１１に取り付けられた状態で、差込口３１に導電バー４１，４２、中性極バー４３が差し込まれ、いずれか一対の導電バー４１，４２、中性極バー４３に一次側端子３２が電気的に接続される。尚、導電バー４１に対応する差込口３１には接続端子４１１の先端部が差し込まれ、導電バー４２に対応する差込口３１には接続端子４２１の先端部が差し込まれる。
【００４０】
第１の電圧極あるいは第２の電圧極と中性極とに接続される分岐ブレーカ（以下、「１００Ｖ用分岐ブレーカ」ともいう）３は、一次側端子３２，３２が、３個の差込口３１，３１，３１のうち、両端の２個の差込口３１，３１内に露出するように設けられている。これにより、１００Ｖ用分岐ブレーカ３は、隔壁１３３の上側に取り付けられた状態では、第１の電圧極と中性極とに対して電気的に接続され、隔壁１３３の下側に取り付けられた状態では、第２の電圧極と中性極とに対して電気的に接続される。
【００４１】
また、第１の電圧極及び第２の電圧極に接続される分岐ブレーカ（以下、「２００Ｖ用分岐ブレーカ」ともいう）３は、一次側端子３２，３２が、３個の差込口３１，３１，３１のうち、後ろ側の２個の差込口３１，３１内に露出するように設けられている。これにより、２００Ｖ用分岐ブレーカ３は、隔壁１３３の上側及び下側のいずれに取り付けられた状態でも、第１の電圧極と第２の電圧極とに対して電気的に接続される。
【００４２】
次に、電流計測器５の具体的な構成について図２〜図４を参照して説明する。
【００４３】
電流計測器５は、演算装置５５と、検出部５２と、検出部５２の出力を受ける処理回路５３とを１枚の基板５１に有している。
【００４４】
基板５１は、矩形箱状のケース（図示せず）に収納されている。尚、図２及び図３では、電流計測器５は、ケースの図示が省略され、基板５１が露出した状態で図示されている。ケースには、接続端子４１１及び接続端子４２１に対応する各位置に、基板５１の厚み方向に貫通する透孔（図示せず）それぞれ形成されている。
【００４５】
基板５１は、突出片４１３（４２３）に沿って配置されている。基板５１のうち透孔に対応する各位置には、基板５１を厚み方向に貫通する（第１の）貫通孔５１１及び（第２の）貫通孔５１２が形成されている。貫通孔５１１は基板５１の後寄りの部位に形成されていて、貫通孔５１２は貫通孔５１１よりも前寄りの部位に形成されている。貫通孔５１１，５１２は、それぞれ接続端子４１１，４２１が貫通する大きさに形成されている。
【００４６】
これにより、電流計測器５は、複数の透孔に、複数の接続端子４１１，４１１…及び複数の接続端子４２１，４２１…が差し込まれた状態で、接続端子４１１，４１１…及び接続端子４２１，４２１…に取り付けられる。この状態で、第１の電圧極の導電バー４１の各接続端子４１１、及び第２の電圧極の導電バー４２の各接続端子４２１は、基板５１の各貫通孔５１１（５１２）を貫通する。さらに、この状態では、各接続端子４１１及び各接続端子４２１は、各透孔及び各貫通孔５１１，５１２を通って分岐ブレーカ３に接続される。
【００４７】
分電盤１は２つの電流計測器５０１，５０２を備えている。電流計測器５０１は、隔壁１３３の上側に取り付けられている。電流計測器５０２は、隔壁１３３の下側に取り付けられている。電流計測器５０１と電流計測器５０２とは、基本的な構成が共通しており、上下方向において略対称となる構成を採用している。そのため、以下ではこれら一対の電流計測器５０１，５０２のうち、第２の電圧極の導電バー４２の各接続端子４２１を流れる電流の値を計測する電流計測器５０２に着目して説明する。尚、電流計測器５０１，５０２に共通する説明をする場合には、電流計測器５と表記して説明する。また、本実施形態の分電盤１は２つの電流計測器５０１，５０２を備えているが、電流計測器の数は２つに限定されず、１つでもよいし複数でもよい。
【００４８】
電流計測器５０２は、中性極バー４３の下側に取り付けられ、貫通孔５１１に接続端子４２１が通されていて、貫通孔５１２に接続端子４１１が通されている。本実施形態において、透孔及び貫通孔５１１，５１２は、基板５１の厚み方向に直交する平面内で円形状や矩形状に開口するように形成されているが、これらの形状に限定する趣旨ではない。つまり、各透孔及び各貫通孔５１１，５１２は、基板５１の厚み方向に貫通していればよく、該厚み方向に直交する平面内における開口形状が、円形や矩形以外の形状であってもよく、例えばＵ字状のように一方向に開放された形状であってもよい。
【００４９】
検出部５２は、各々の貫通孔５１１の周囲に設けられ、貫通孔５１１内を通る接続端子４２１を流れる電流に応じた電気信号（電流値情報）を出力する。各検出部５２は、対応する分岐ブレーカ３を流れる電流の値を計測するように構成されている。各検出部５２は、変流器（カレントトランス）、ホール素子、磁気抵抗素子、ＧＭＲ（Giant Magnetic Resistances）素子、シャント抵抗等のセンサが用いられる。一例として、ここでは各検出部５２は、コアを用いない（コアレスの）空芯コイルからなり、貫通孔５１１内を通過する電流に応じた出力を生じるロゴスキコイルである。電流計測器５は、各検出部５２の出力に基づいて、複数の分岐ブレーカ３，３…の各々を流れる電流、すなわち複数の分岐ブレーカ３，３…にそれぞれ接続された電路に流れる電流の値を算出する。
【００５０】
つまり電流計測器５０２の検出部５２は、接続端子４２１（第２の電圧極）を流れる電流の電流値を計測する（図３参照）。尚、電流計測器５０２の検出部５２は、接続端子４１１（第１の電圧極）を流れる電流の電流値を計測する。
【００５１】
処理回路５３は基板５１の表面のうち、隣り合う２つの貫通孔５１２の中間に設けられている。処理回路５３は、基板５１が有する配線部５４に電気的に接続されている。処理回路５３は、配線部５４を介して検出部５２の各々に電気的に接続されている。尚、処理回路５３は、隣り合う２つの貫通孔５１２の中間に設けられることに限定されず、基板５１の適宜の部位に設けられていてもよい。
【００５２】
処理回路５３は、例えばＡＳＩＣ（Application Specific Integrated Circuit）からなり、検出部５２の出力に対し、積分等の適宜の処理を施すように構成されている。ここでは、基板５１は多層基板であって、配線部５４は、基板５１の互いに異なる層に形成された導電パターン同士をスルーホール接続（ビア接続）することによって、ツイストペア線を形成するように構成されている。
【００５３】
尚、本実施形態では、処理回路５３は隣接する一対の検出部５２，５２に対して１つずつ設けられ、１つの処理回路５３に一対の検出部５２，５２が接続されているが、この構成に限らず、たとえば処理回路５３と検出部５２とは一対一で設けられていてもよい。
【００５４】
電流計測器５０２は、隔壁１３３の下側に取り付けられる分岐ブレーカ３、例えば第２の電圧極−中性極間に接続された１００Ｖ用分岐ブレーカ３や、第１の電圧極−第２の電圧極間に接続された２００Ｖ用分岐ブレーカ３に流れる電流の値を計測する。
【００５５】
演算装置５５は、検出部５２の出力を用いて、複数の電路の各々の瞬時電力を演算するように構成されている。演算装置５５は、例えばマイコン（マイクロコンピュータ）からなり、図４に示すように、記憶部５５１と、出力部５５２と、演算部５５３とを有している。演算装置５５は、複数の処理回路５３と順番に通信することにより、検出部５２の出力に適宜の処理が施された後のデータを処理回路５３から受信する。尚、本実施形態の電流計測器５は複数の処理回路５３を備えていて、各処理回路５３には２つの検出部５２が電気的に接続されているが、図４では説明のために、処理回路５３と検出部５２とを各々１つ示し、他は省略している。
【００５６】
演算部５５３は、複数の電路の各々の線間電圧の値を示す電圧情報を計測ユニット６から取得し、各検出部５２の出力から求まる電流の値と、取得した電圧情報とに基づいて、瞬時電力の値を分岐回路の電力情報として求めるように構成されている。
【００５７】
記憶部５５１は演算装置５５が備えているＲＯＭで構成されている。記憶部５５１には検出部５２の計測対象である複数の分岐回路に関する回路情報が記憶されている。回路情報は、複数の分岐回路の回路数や、各分岐回路の定格電圧値や、分岐ブレーカ３に接続される機器の種類等である。尚、回路情報は上記した情報に限定されず、複数の分岐回路に関する適宜の情報でもよい。記憶部５５１に記憶されている回路情報は、予めＲＯＭに書き込まれていて変更できないようになっているため、例えば施工者の誤操作等により記憶部５５１に記憶されている回路情報が変更されないようになっている。記憶部５５１は、最大４３回路分の回路情報を記憶できるように構成されている。尚、記憶部５５１は複数の分岐回路分の回路情報を記憶できればよく、記憶できる回路情報の数は４３回路に限定される趣旨ではない。また、記憶部５５１は演算装置５５のＲＯＭで構成されることに限定されず、演算装置５５の外部に設けられた記憶媒体で構成されていてもよい。
【００５８】
出力部５５２は、記憶部５５１に記憶された回路情報を外部の機器（本実施形態では第１通信アダプタ７１）に出力（送信）するように構成されている。出力部５５２は、ケーブル（図示せず）によって計測ユニット６を介して第１通信アダプタ７１に電気的に接続されており、第１通信アダプタ７１と通信可能に構成されている。演算装置５５は、第１通信アダプタ７１が回路情報を要求した場合に、ＲＯＭに記憶されている回路情報を第１通信アダプタ７１に出力する。尚、本実施形態の演算装置５５は回路情報を第１通信アダプタ７１に送信しているが、演算装置５５が回路情報を送信する送信先は第１通信アダプタ７１に限定される趣旨ではない。
【００５９】
演算装置５５は、ケーブル（図示せず）を通して第１通信アダプタ７１へ分岐回路の電力情報を送信するように構成されている。同様に、演算装置５５は、複数の分岐回路に関する回路情報を第１通信アダプタ７１へ送信する。
【００６０】
計測ユニット６は、導電バー４１，４２、中性極バー４３に電気的に接続されており、導電バー４１，４２、中性極バー４３からの電力を受け、電流計測器５や第１通信アダプタ７１や分電盤用の機器の動作用電源を生成する電源回路（図示せず）を有している。さらに、計測ユニット６は、導電バー４１，４２、中性極バー４３間の電圧を計測し、計測された電圧の値を電圧情報として電流計測器５へ送信する機能を有している。
【００６１】
また、計測ユニット６は、電流計測器５での計測対象である分岐回路以外の特定回路について、電力を計測するように構成されている。具体的には、計測ユニット６は、カレントトランス（ＣＴ）からなる電流センサ（図示せず）が電気的に接続され、この電流センサによって、例えば主幹ブレーカ２を通過する電流の値を計測する。そして、計測ユニット６は、計測された電流の値と、電圧情報とに基づいて、瞬時電力の値を特定回路の電力情報として求めるように構成されている。計測ユニット６は、第１通信アダプタ７１と電気的に接続されており、特定回路の電力情報を第１通信アダプタ７１へ送信する。
【００６２】
尚、電流計測器５及び計測ユニット６は、本実施形態ではそれぞれ電力情報を求めるように構成されているが、この例に限らず、少なくとも各電路（分岐回路または特定回路）に流れる電流の値を計測する構成であればよい。例えば、電流計測器５及び計測ユニット６は、計測した電流値を第１通信アダプタ７１へ送信する構成であってもよい。
【００６３】
第１通信アダプタ７１は、設定部７１１と、判断部７１２と、制御部７１３を有している。
【００６４】
設定部７１１は、複数の分岐回路に関する回路情報を記憶する記憶装置（本実施形態ではＥＥＰＲＯＭ（Electrically Erasable Programmable Read-Only Memory））で構成されている。尚、設定部７１１はＥＥＰＲＯＭで構成されることに限定されず、適宜の記憶装置で構成されていてもよい。
【００６５】
第１通信アダプタ７１は、出力部５５２が送信した回路情報を受信すると、受信した回路情報を設定部７１１に設定する。
【００６６】
判断部７１２は、出力部５５２と通信を行って記憶部５５１に記憶されている回路情報を取得し、その回路情報と、設定部７１１に記憶されている回路情報とを比較する。
【００６７】
制御部７１３は、判断部７１２の動作に応じて第１通信アダプタ７１を設定モードで動作させるか、又は通常モードで動作させるかを制御する。
【００６８】
判断部７１２及び制御部７１３は、例えばマイコン（図示せず）がＲＯＭ（図示せず）に記憶されているプログラムを実行することにより実現されている。尚、判断部７１２及び制御部７１３の動作については後述する。
【００６９】
また第１通信アダプタ７１は、機器（図示せず）の制御を行うコントローラ（図示せず）との通信機能を有する。ここでいう機器はＨＥＭＳ（Home Energy Management System）対応機器である。ＨＥＭＳ対応機器は、消費電力の管理対象であれば足り、例えば、ＨＥＭＳにおいて重要な８機器（スマートメータ、太陽光発電装置、蓄電装置、燃料電池、電気自動車、エアコン、照明器具、給湯装置）等を含む。さらに、ＨＥＭＳ対応機器は、４大電力消費機器の他の２つ、冷蔵庫、テレビ受像機等を含んでもよい。ただし、ＨＥＭＳ対応機器をこれらの機器に限定する趣旨ではない。
【００７０】
さらに第１通信アダプタ７１は、電流計測器５からは分岐回路の電力情報を受信し、計測ユニット６からは特定回路の電力情報を受信するように構成されている。第１通信アダプタ７１は、これらの電力情報を取得することによって、複数の電路の各々の瞬時電力のデータを収集する機能を有している。さらに、第１通信アダプタ７１は、複数の電路の各々について、瞬時電力を所定時間に亘って積算した電力量を演算する機能を有していてもよい。
【００７１】
第１通信アダプタ７１は、これらの電力情報（瞬時電力あるいは電力量）をコントローラへ送信する。コントローラは、電力情報を用いて（ＨＥＭＳ対応）機器を制御するように構成されている。これにより、コントローラは、複数の電路の各々での消費電力に基づいて機器を制御することができる。尚、第１通信アダプタ７１とコントローラとの間の通信方式は、電波を媒体とした無線通信であってもよい。また第１通信アダプタ７１とコントローラとの間の通信方式は、有線ＬＡＮや電力線搬送通信（ＰＬＣ：Power Line Communications）等の有線通信であってもよい。
【００７２】
ここで、コントローラは、ＨＥＭＳのコントローラである。ＨＥＭＳのコントローラは、表示端末（図示せず）を制御して電力情報を可視化（見える化）したり、電力情報に基づいて（ＨＥＭＳ対応）機器を制御したりする機能を有しており、分電盤１外に設置されている。このコントローラによれば、機器での電力消費の状況を管理することが可能になり、電力の無駄な消費を抑えることができる。
【００７３】
コントローラは、宅内に設置されており、例えば電波を媒体とした無線通信、あるいは有線ＬＡＮ（Local Area Network）等の有線通信によって、第１通信アダプタ７１と通信したり、宅内の（ＨＥＭＳ対応）機器を制御したりする。尚、コントローラは、インターネット等のネットワーク（図示せず）に接続され、該ネットワークを介した通信により、第１通信アダプタ７１と通信したり、宅内の（ＨＥＭＳ対応）機器を制御したりする構成であってもよい。
【００７４】
尚、第１通信アダプタ７１は、上述したコントローラに相当する機能を有していてもよい。これにより、第１通信アダプタ７１は、複数の電路の各々での消費電力に基づいて機器を制御することができる。
【００７５】
第２通信アダプタ７２は、通信機能を有する電力メータ（図示せず）と通信する機能を有している。第２通信アダプタ７２は、第１通信アダプタ７１と電気的に接続される。ここでいう電力メータは、所謂スマートメータであって、需要家での使用電力量を計測し、配電線に接続されているコンセントレータ（図示せず）と通信を行うことにより遠隔検針等を可能にする。さらにまた、供給事業者である電力会社、あるいは節電事業者によって運営されているサーバから各需要家の電力メータに、電力の消費を抑制するための要請である要請情報が送信される場合がある。電力メータは、第２通信アダプタ７２との通信により、計量値（使用電力量）や要請情報等を第２通信アダプタ７２へ送ることができる。
【００７６】
第３通信アダプタ７３は、ガスメータ、水道メータ、太陽光発電装置、蓄電装置、電気自動車に電気的に接続される電力変換装置の少なくとも１つからなるエネルギー管理装置（図示せず）との通信機能を有している。ここでいう電力変換装置は、分電盤１側から電気自動車への単方向充電を行うための電力変換の他、双方向に電力変換を行うことで電気自動車の蓄電池の充電と放電との両方に用いられる構成であってもよい。第３通信アダプタ７３は、第１通信アダプタ７１と電気的に接続される。
【００７７】
第２通信アダプタ７２と電力メータとの間の通信方式は、無線通信、有線通信を問わず適宜の方式が適用可能である。同様に、第３通信アダプタ７３とエネルギー管理装置との間の通信方式についても、無線通信、有線通信を問わず適宜の方式が適用可能である。
【００７８】
一次連系ブレーカ（図示せず）は、主幹ブレーカ２の一次側端子２１に電気的に接続され、且つ電力系統への逆潮流が許容されている分散電源（図示せず）に電気的に接続される。この種の分散電源としては、例えば太陽光発電装置等がある。一次連系ブレーカは、主幹ブレーカ２の一次側と、分散電源との間に電気的に接続されることになる。これにより、一次連系ブレーカは、例えば系統電源からの電力供給が停止したときや、系統電源あるいは分散電源に異常が生じたとき等に、分散電源を電力系統から切り離す（解列する）ように動作する。
【００７９】
二次連系ブレーカ８は、導電バー４１，４２、中性極バー４３に電気的に接続され、且つ電力系統への逆潮流が許容されていない分散電源（図示せず）に電気的に接続される。この種の分散電源としては、例えば燃料電池、ガス発電装置、蓄電装置等がある。二次連系ブレーカ８は、主幹ブレーカ２の二次側端子と、分散電源との間に電気的に接続されることになる。これにより、二次連系ブレーカ８は、例えば系統電源からの電力供給が停止したときや、系統電源あるいは分散電源に異常が生じたとき等に、分散電源を電力系統から切り離す（解列する）ように動作する。二次連系ブレーカ８は、分岐ブレーカ３と同様に一次側端子（図示せず）と二次側端子８１とを有しており、一次側端子が導電バー４１，４２、中性極バー４３に電気的に接続され、二次側端子８１に分散電源が接続される。
【００８０】
＜特徴構成＞
ここで、第１通信アダプタ７１が電流計測器５から回路情報を取得する動作について図５を参照して説明する。
【００８１】
第１通信アダプタ７１が、電流計測器５と通信可能な状態で起動すると（ステップＳ１）、判断部７１２は、電流計測器５の出力部５５２と通信を行って記憶部５５１に記憶されている回路情報を取得する（ステップＳ２）。尚、回路情報を取得できなかった場合の判断部７１２の動作については、後述するステップＳ８の動作を行うように構成されている。
【００８２】
判断部７１２は、取得した回路情報と設定部７１１に記憶されている回路情報とを比較する（ステップＳ３）。尚、本実施形態では、検出部５２が測定可能な分岐回路の数を比較対象としているが、比較対象は分岐回路の数の他にも、回路情報のうち適宜の情報を用いてもよい。
【００８３】
判断部７１２は、取得した回路情報と設定部７１１に記憶されている回路情報とを比較し、回路情報に変更がなければ（回路情報が一致していれば）、分電盤の構成が変更されていないと判断する（ステップＳ３の変更なし）。制御部７１３は、通常の動作を行う通常モードで動作する（ステップＳ４）。
【００８４】
また、ステップＳ３で、判断部７１２は、取得した回路情報と設定部７１１に記憶されている回路情報とを比較し、回路情報に変更あれば（回路情報が一致していなければ）、分電盤の構成が変更されたと判断する（ステップＳ３の変更あり）。制御部７１３は、回路情報を設定部７１１に記憶させるための設定モードで動作する（ステップＳ５）。
【００８５】
例えば、第１通信アダプタ７１を施工後に初めて動作させた場合、設定部７１１には回路情報が記憶されていないため、設定モードで動作する。同様に、第１通信アダプタ７１が故障等により新しい第１通信アダプタ７１に交換された場合も、設定モードで動作する。また、第１通信アダプタ７１は、施工者がリセット操作を行うことにより設定部７１１の回路情報がリセットされるように構成されていて、リセット操作をした場合も設定モードで動作する。
【００８６】
設定モードに移行すると判断部７１２は、ステップＳ２で、記憶部５５１に記憶されている回路情報を取得できたか否かを判断する（ステップＳ６）。
【００８７】
判断部７１２は、ステップＳ２で、記憶部５５１に記憶されている回路情報を取得できた場合（ステップＳ６のＹｅｓ）、設定部７１１に記憶されている回路情報を、取得した回路情報で上書きする（ステップＳ７）。また、設定部７１１に１つしか記憶できない特定の回路情報の設定項目について、施工者が第１通信アダプタ７１を操作して設定した回路情報と、記憶部５５１に記憶されている回路情報とが競合する場合が考えられる。特定の回路情報とは例えば、主幹ブレーカ２を通過する電流の値を計測する電流センサ（ＣＴからなる電流センサ）の回路情報等である。この場合、判断部７１２は、設定部７１１に記憶されている回路情報を、記憶部５５１に記憶されている回路情報で上書きする。
【００８８】
判断部７１２は、記憶部５５１に記憶されている回路情報を取得できない場合（ステップＳ６のＮｏ）、初期値を設定部７１１に記憶させる（ステップＳ８）。ここでいう初期値は例えば、第１通信アダプタ７１のうち設定部７１１とは異なる記憶装置に記憶されているか、または設定部７１１のうちリセットされない領域に予め記憶されている回路情報である。この初期値は例えば、一般的な分電盤向けの汎用的な回路情報で構成されていて、初期化後に必要となる設定項目のうちのいくつかを予め設定された状態にするために用意されている。初期値が用意されていることにより、例えば記憶部５５１を有していない電流計測器５を備えた分電盤１に第１通信アダプタ７１が取り付けられた場合でも、判断部７１２が初期値を設定部７１１に記憶させることにより、設定作業の手間を簡略化できる。
【００８９】
ステップＳ７，Ｓ８が完了すると、第１通信アダプタ７１は通常モードで動作する。例えば第１通信アダプタ７１は、ステップＳ７，Ｓ８の完了後に再起動してもよいし、ステップＳ７，Ｓ８の完了後に通常モードに切り替わるように構成されていてもよい。
【００９０】
尚、本実施形態の判断部７１２は、検出部５２が測定可能な分岐回路の数を比較対象としている。そのため、施工者が設定部７１１に記憶されている回路情報を変更していても、検出部５２が測定可能な分岐回路の数が変化していなければ、判断部７１２は回路情報を上書きしない。例えば電流計測器５が故障等により交換された場合でも、上記分岐回路の数が変化していなければ回路情報が上書きされない。この場合、設定部７１１には施工者が以前に変更した回路情報が記憶されているので、電流計測器５の交換に伴う設定作業の手間が省ける。
【００９１】
ここで、ステップＳ５の設定モードにおける判断部７１２の動作についてより詳細に説明する。
【００９２】
２つの電流計測器５０１，５０２の各々の記憶部５５１に記憶されている回路情報が同一である場合、判断部７１２は、電流計測器５０１（隔壁１３３の上側の電流計測器５）の記憶部５５１に記憶されている回路情報を取得して設定部７１１に記憶させる。
【００９３】
２つの電流計測器５０１，５０２の各々の記憶部５５１に記憶されている回路情報が異なっている場合、判断部７１２は、電流計測器５０１の記憶部５５１に記憶されている回路情報を取得して設定部７１１に記憶させる。
【００９４】
電流計測器５０１の記憶部５５１に記憶されている回路情報を取得できない場合、判断部７１２は、電流計測器５０２（隔壁１３３の下側の電流計測器５）の記憶部５５１に記憶されている回路情報を取得して設定部７１１に記憶させる。電流計測器５０１の記憶部５５１に記憶されている回路情報を取得できない場合とは例えば、例えば通信エラーや記憶部５５１の故障等による場合が考えられる。
【００９５】
同様に、通信エラーや記憶部５５１の故障等で、電流計測器５０１及び電流計測器５０２のいずれからも回路情報も取得できない場合、判断部７１２は、第１通信アダプタ７１に予め保持させている初期値を設定部７１１に記憶させる。同様に、電流計測器５０１及び電流計測器５０２のいずれも記憶部５５１を備えていない場合も、判断部７１２は、設定部７１１に初期値を記憶させる。
【００９６】
上記の判断部７１２の動作により、設定部７１１には回路情報が設定されるようになっている。尚、上記の説明では判断部７１２は、電流計測器５０１の記憶部５５１に記憶されている回路情報を優先的に取得するように構成されているが、電流計測器５０２の記憶部５５１に記憶されている回路情報を優先的に取得するように構成されていてもよい。
【００９７】
尚、施工者が設定部７１１に記憶されている回路情報を変更したりリセットしたりしても、電流計測器５の記憶部５５１に記憶されている回路情報は変更されない。そのため、施工者はリセット操作を行うことで、設定部７１１に記憶されている回路情報を、記憶部５５１に記憶されている回路情報（例えば工場出荷状態の回路情報）に戻すことができる。
【００９８】
以上説明したように、本実施形態の電流計測器５は、検出部５２と、記憶部５５１と、出力部５５２とを備える。検出部５２は、主幹ブレーカ２（主幹回路）から分岐される複数の分岐ブレーカ３（分岐回路）の各々に流れる電流の電流値情報を検出する。記憶部５５１は、検出部５２の計測対象である複数の分岐ブレーカ３（分岐回路）に関する回路情報を記憶する。出力部５５２は、記憶部５５１に記憶された回路情報を外部に出力する。
【００９９】
電流計測器５が、複数の分岐ブレーカ３に関する回路情報を記憶部５５１に記憶していて、その回路情報を外部（本実施形態では第１通信アダプタ７１）に出力するので、施工後の分電盤１に第１通信アダプタ７１を取り付けた際の設定作業を簡略化できる。
【０１００】
本実施形態の分電盤１は、出力部５５２が出力した回路情報が入力される分電盤用内器（本実施形態では第１通信アダプタ７１）と、電流計測器５及び分電盤用内器（第１通信アダプタ７１）が取り付けられる分電盤用キャビネット１０とを備えている。分電盤用内器（第１通信アダプタ７１）は、出力部５５２から入力された回路情報が設定（記憶）される設定部７１１を有している。第１通信アダプタ７１が演算装置５５から入力された回路情報を設定部７１１に記憶することにより、第１通信アダプタ７１又は電流計測器５を取り付けた際の設定作業を簡略化できる。
【０１０１】
本実施形態の分電盤用内器（第１通信アダプタ７１）は、設定部７１１に回路情報が設定されていない場合に、出力部５５２から入力される回路情報を設定部７１１に設定（記憶）するように構成されている。第１通信アダプタ７１を新設した場合や交換した場合でも設定部７１１に回路情報を記憶させることができるので、回路情報の設定作業を簡略化できる。
【０１０２】
本実施形態の分電盤用内器（第１通信アダプタ７１）は、設定部７１１の設定内容がリセットされた場合に、出力部５５２から入力される回路情報を設定部７１１に設定（記憶）するように構成されている。第１通信アダプタ７１の設定部７１１をリセットした場合でも記憶部５５１に記憶されている回路情報を設定部７１１に記憶させることができるので、回路情報の設定作業を簡略化できる。
【０１０３】
本実施形態の分電盤用内器（第１通信アダプタ７１）は、次の場合に、出力部５５２から入力される回路情報を設定部７１１に設定（記憶）させるように構成されている。次の場合とは、設定部７１１に記憶されている計測対象の分岐ブレーカ３（分岐回路）の数が、出力部５５２から入力される計測対象の分岐回路の数と異なっている場合である。第１通信アダプタ７１を交換した場合に設定部７１１に異なる回路情報が残っていた場合でも設定部７１１に正しい回路情報を記憶させことができるので、回路情報の設定作業を簡略化できる。また、計測可能な分岐回路の数を増やすために、検出部５２の数が多い電流計測器５に交換した場合に、設定部７１１に異なる回路情報が残っていても設定部７１１に正しい回路情報を記憶させことができるので、回路情報の設定作業を簡略化できる。
【０１０４】
本実施形態の分電盤用内器（第１通信アダプタ７１）は、回路情報の初期値を有し、出力部５５２から回路情報が入力されない場合に初期値を設定部７１１に設定（記憶）するように構成されている。電流計測器５が記憶部５５１を有していなくても、第１通信アダプタ７１は、初期値を設定部７１１に記憶させるので、回路情報の設定作業を簡略化できる。
【０１０５】
尚、本実施形態の分電盤１は、電流計測器を２つ備えているが、電流計測器の数は２つに限定されず、１つでもよいし３つ以上でもよい。
【０１０６】
（実施形態２）
本実施形態に係る２つの電流計測器５０１，５０２の各々が備える記憶部５５１には、電流計測器５０１及び電流計測器５０２の両方の分岐回路の回路情報が記憶されている。つまり２つの電流計測器５０１，５０２の各々が備える記憶部５５１には、電流計測器５０１，５０２が計測可能な分岐回路の回路情報が全て記憶されている点が、実施形態１と相違する。以下、実施形態１と同様の構成については、共通の符号を付して適宜説明を省略する。
【０１０７】
記憶部５５１には、電流計測器５が計測可能な分岐回路の回路情報が全て記憶されているので、電流計測器５０１，５０２のうち何れか一方の記憶部５５１が故障しても、第１通信アダプタ７１は他方の記憶部５５１から回路情報を取得できる。尚、第１通信アダプタ７１は、電流計測器５０１，５０２のうち何れか一方（本実施形態では電流計測器５０１）の記憶部５５１から回路情報を優先的に取得するように構成されていてもよい。
【０１０８】
以上説明したように、本実施形態の分電盤１は、電流計測器５を複数（本実施形態では２つ）備えている。複数の電流計測器５０１，５０２の各々が備える記憶部５５１には、全ての電流計測器５０１，５０２の計測対象である分岐ブレーカ３（分岐回路）の回路情報が記憶されるように構成されている。そのため第１通信アダプタ７１は、電流計測器５の１つが故障しても他の電流計測器５の記憶部５５１から全ての分岐ブレーカ３の回路情報を取得することができる。
【０１０９】
尚、本実施形態の電流計測器５は２つの電流計測器５０１，５０２で構成されているが、電流計測器の数は３つ以上でもよい。
【符号の説明】
【０１１０】
１  分電盤
１０  分電盤用キャビネット
２  主幹ブレーカ（主幹回路）
３  分岐ブレーカ（分岐回路）
５，５０１，５０２  電流計測器
５２  検出部
５５１  記憶部
５５２  出力部
７１  第１通信アダプタ（分電盤用内器）
７１１  設定部
【図１】
2015211570.tif 000003
【図２】
2015211570.tif 000004
【図３】
2015211570.tif 000005
【図４】
2015211570.tif 000006
【図５】
2015211570.tif 000007